【手続補正書】
【提出日】平成17年3月24日(2005.3.24)
【手続補正１】
【補正対象書類名】特許請求の範囲
【補正対象項目名】全文
【補正方法】変更
【補正の内容】
【特許請求の範囲】
【請求項１】
歯科用イメージング・システムにおいて、
ハンドル部（１０６）と先端部（１０２）とを有するハンドピース（１００）と、
前記ハンドピース（１００）の前記先端部（１０２）の中に配設された光学系と、
前記ハンドピース（１００）の前記先端部（１０２）の中に配設されたセンサ・アセンブリ（２１０）と、
前記ハンドピース（１００）の前記ハンドル部（１６）の中に配設されたカメラ制御ユニット（２０２）と、
前記カメラ制御ユニット（２０２）に取り外し可能に接続されたインターフェース手段とを備え、
前記ハンドピース（１００）の前記先端部（１０２）は口腔内側及び口腔外側の歯ないし歯周組織を視野におさめるための視野窓（２０４）を有しており、
前記光学系は、前記視野窓（２０４）の視野内の前記歯ないし歯周組織の画像の取込みと、方向付けと、転送とを行うように構成されており、
前記センサ・アセンブリ（２１０）は、前記光学系を介して入射してきた画像をビデオ・データ信号に変換するように構成されており、
前記カメラ制御ユニット（２０２）は、前記センサ・アセンブリ（２１０）から前記ビデオ・データ信号を受取り、受取ったビデオ・データ信号から、前記画像のビデオ出力信号を生成するように構成されており、
前記インターフェース手段は、前記カメラ制御ユニット（２０２）へ電力を供給すると共に、前記カメラ制御ユニット（２０２）からビデオ出力信号を受取ってディスプレイないし更なる処理のためのデバイスへ送信するものである、
歯科用イメージング・システム。
【請求項２】
前記インターフェース手段がユーティリティ・ケーブル（３０２）を含んでおり、該ユーティリティ・ケーブル（３０２）は前記ハンドピース（１００）をインターフェース・ユニットとドッキング・ステーション（６００）との一方に接続しており、該ユーティリティ・ケーブル（３０２）がカメラ・ケーブル（３０４）を含んでおり、該カメラ・ケーブル（３０４）が第１ケーブル要素と第２ケーブル要素とを含んでおり、前記第１ケーブル要素は、インターフェース・ユニットとドッキング・ステーション（６００）との前記一方から、前記カメラ制御ユニット（２０２）へ、前記電力を供給するものであり、前記第２ケーブル要素は、前記カメラ制御ユニット（２０２）から、インターフェース・ユニットとドッキング・ステーション（６００）との前記一方へ、前記ビデオ出力信号を供給するものであ請求項１記載の歯科用イメージング・システム。
【請求項３】
前記第２ケーブル要素が、Sビデオ信号、コンポジット・ビデオ信号、及びデジタル・
ビデオ信号のうちの何れかを伝送する導体を含んでいる請求項２記載の歯科用イメージング・システム。
【請求項４】
前記第２ケーブル要素が、Sビデオ信号を伝送する導体を含んでいる請求項３記載の歯科用イメージング・システム。
【請求項５】
前記ユーティリティ・ケーブルが更に光ファイバ製ライトガイド（３０６）を含んでおり、該光ファイバ製ライトガイド（３０６）は、インターフェース・ユニットとドッキング・ステーション（６００）との前記一方から、前記ハンドピース（１００）へ、光を導くものである請求項２記載の歯科用イメージング・システム。
【請求項６】
前記カメラ・ケーブル（３０４）が第３ケーブル要素を含んでおり、該第３ケーブル要素は、インターフェース・ユニットとドッキング・ステーション（６００）との前記一方から、前記カメラ制御ユニット（２０２）へ、制御信号を伝送するものである請求項２記載の歯科用イメージング・システム。
【請求項７】
前記インターフェース手段が、前記カメラ制御ユニット（２０２）へ電力を供給するバッテリ（８０２）を含んでいる請求項１記載の歯科用イメージング・システム。
【請求項８】
前記インターフェース手段が、前記カメラ制御ユニット（２０２）からリモート受信装置へ前記ビデオ出力信号を送信する無線送信システム（８０４）を含んでいる請求項１記載の歯科用イメージング・システム。
【請求項９】
更に光源（８０８）を備えている請求項１記載の歯科用イメージング・システム。
【請求項１０】
前記光源（８０８）が、電球（８１０）、反射体（８１２）、及びレンズ（８１４）を備えている請求項９記載の歯科用イメージング・システム。
【請求項１１】
前記ハンドピース（１００）が更に、前記レンズ（８１４）から光を受取って前記ハンドピース（１００）の前記先端部（１０２）へ導くライトガイド（８１６）を備えている請求項１０記載の歯科用イメージング・システム。
【請求項１２】
前記光源（８０８）が少なくとも１個の発光ダイオード（９００）を備えている請求項９記載の歯科用イメージング・システム。
【請求項１３】
前記カメラ制御ユニット（２０２）から前記ビデオ出力信号を受取るインターフェース・ユニットとドッキング・ステーション（６００）との一方を更に備えている請求項１記載の歯科用イメージング・システム。
【請求項１４】
前記カメラ制御ユニット（２０２）と前記センサ・アセンブリ（２１０）とを可撓性をもって接続するコネクタ（２１８）と、
前記インターフェース手段と前記カメラ制御ユニット（２０２）とを可撓性をもって接続するコネクタ（３１２）と、
を備えた請求項１記載の歯科用イメージング・システム。
【請求項１５】
前記カメラ制御ユニット（２０２）と前記センサ・アセンブリ（２１０）とを可撓性をもって接続する前記コネクタ（２１８）が、フレキシブル・プリント配線板（２１６）を含んでおり、
前記インターフェース手段と前記カメラ制御ユニット（２０２）とを可撓性をもって接続する前記コネクタ（３１２）が、フレキシブル・プリント配線板（３０８）を含んでいる、
請求項１４記載の歯科用イメージング・システム。
【請求項１６】
前記カメラ制御ユニット（２０２）と前記センサ・アセンブリ（２１０）とを接続する前記フレキシブル・プリント配線板（２１６）が、細長い折返し部（２２０）を持つようにして配設されており、それによって、前記歯ないし歯周組織に焦点を合わせるために前記センサ・アセンブリ（２１０）を軸心方向に調節移動できるようにしてある請求項１５記載の歯科用イメージング・システム。
【請求項１７】
前記カメラ制御ユニット（２０２）と前記センサ・アセンブリ（２１０）とを可撓性をもって接続する前記コネクタ（２１８）が、前記カメラ制御ユニット（２０２）及び前記センサ・アセンブリ（２１０）に固定結合された延長ボード（４０４）を備えており、それによって、前記歯ないし歯周組織に前記センサ・アセンブリ（２１０）の焦点を合わせるために前記カメラ制御ユニット（２０２）と前記センサ・アセンブリ（２１０）とを一体的に軸心方向に調節移動できるようにしてある請求項１４記載の歯科用イメージング・システム。
【請求項１８】
前記カメラ制御ユニット（２０２）から送出される前記ビデオ出力信号が、Sビデオ信
号、コンポジット・ビデオ信号、及びデジタル・ビデオ信号のうちの何れかである請求項１記載の歯科用イメージング・システム。
【請求項１９】
前記カメラ制御ユニット（２０２）が、デジタル信号処理装置とアナログ信号処理装置との何れかを備えている請求項１記載の歯科用イメージング・システム。
【請求項２０】
前記センサ・アセンブリ（２１０）が、電荷結合デバイス、ＣＭＯＳデバイス、及びアクティブ・ピクセル・センサの何れかを備えている請求項１記載の歯科用イメージング・システム。
【請求項２１】
前記センサ・アセンブリ（２１０）を軸心方向に調節移動することによって、前記歯ないし歯周組織に焦点を合わせるための複数の所定のフォーカス・モードにすることができるようにしてある請求項１記載の歯科用イメージング・システム。
【請求項２２】
前記ハンドピース（１００）の前記ハンドル部（１０６）の中に配設されたリング（１１０）の調節操作を行うことによって前記複数の所定のフォーカス・モードの各々が選択されるようにしてあり、前記リング（１１０）は前記センサ・アセンブリ（２１０）を軸心方向に調節移動するためのアセンブリに作用的に連結されており、前記リング（１１０）の調節操作を行うことによって前記アセンブリが前記センサ・アセンブリ（２１０）を軸心方向に調節移動し、それによって所望のフォーカス・モードにすることができるようにしてある請求項２１記載の歯科用イメージング・システム。
【請求項２３】
前記ハンドピース（１００）の前記ハンドル部（１０６）の中に配設されたリング（１１０）の調節操作を行うことによって複数の所定のフォーカス・モードが選択されるようにしてあり、前記リング（１１０）は前記光学系の光学素子のうちの少なくとも１個を前記センサ・アセンブリ（２１０）に対して相対的に軸心方向に調節移動するためのアセンブリに作用的に連結されており、前記リング（１１０）の調節操作を行うことによって前記アセンブリ（２１０）が前記光学系の光学素子のうちの前記少なくとも１個を軸心方向に調節移動し、それによって所望のフォーカス・モードにすることができるようにしてある請求項１記載の歯科用イメージング・システム。
【請求項２４】
前記ハンドピース（１００）が、前記ハンドル部（１０６）と前記先端部（１０２）との間に位置する円錐形状部（１０４）を有しており、該円錐形状部（１０４）には、該円錐形状部（１０４）の周方向に間隔を空けて複数の方向指標凹部（１０８）が形成されており、それら複数の方向指標凹部（１０８）のうちの１つに人差し指をあてて前記ハウジング（１００）の前記円錐形状部（１０４）を把持することによって前記視野窓が所定の視野方向に向けられるようにしてある請求項１記載の歯科用イメージング・システム。
【請求項２５】
前記光学系が、
前記歯ないし歯周組織の前記画像を取込むための視野窓（２０４）と、
前記視野窓（２０４）を通して取込まれた前記歯ないし歯周組織の前記画像を反射するプリズム（２０６）と、
前記プリズム（２０６）から反射されてきた前記歯ないし歯周組織の前記画像を前記センサ・アセンブリ（２１０）へ入射させるレンズ・アセンブリ（２０８）と、
を備えている請求項２記載の歯科用イメージング・システム。
【請求項２６】
前記光学系が更に凹レンズを備えている請求項２５記載の歯科用イメージング・システム。
【請求項２７】
前記プリズム（２０６）が非反転プリズムである請求項２５記載の歯科用イメージング・システム。
【請求項２８】
歯科用イメージング・システムのためのカメラ・ハンドピース（１００）において、
ハンドル部（１０６）と先端部（１０２）とを有するハウジング（１００）と、
前記ハウジング（１００）の前記先端部（１０２）の中に配設された光学系と、
前記ハウジング（１００）の前記先端部（１０２）の中に配設されたセンサ・アセンブリ（２１０）と、
前記ハウジング（１００）の前記ハンドル部（１６）の中に配設されたカメラ制御ユニット（２０２）と、
前記カメラ制御ユニット（２０２）に取り外し可能に接続されたインターフェース手段とを備え、
前記ハウジング（１００）の前記先端部（１０２）は、口腔内側及び口腔外側の歯ないし歯周組織を視野におさめるための視野窓（２０４）を有しており、
前記光学系は、前記視野窓（２０４）の視野内の前記歯ないし歯周組織の画像の取込み及び転送を行うように構成されており、
前記センサ・アセンブリ（２１０）は、前記光学系を介して入射してきた画像をビデオ・データ信号に変換するように構成されており、
前記カメラ制御ユニット（２０２）は、前記センサ・アセンブリ（２１０）から前記ビデオ・データ信号を受取り、受取ったビデオ・データ信号から、前記画像のビデオ出力信号を生成するように構成されており、
前記インターフェース手段は、前記カメラ制御ユニット（２０２）へ電力を供給すると共に、前記カメラ制御ユニット（２０２）からビデオ出力信号を受取ってディスプレイないし更なる処理のためのデバイスへ送信するものである、
カメラ・ハンドピース（１００）。
【請求項２９】
前記インターフェース手段が、前記カメラ制御ユニット（２０２）へ制御信号を伝送する手段を更に含んでいる請求項２８記載のカメラ・ハンドピース（１００）。
【請求項３０】
前記インターフェース手段が、前記カメラ・ハンドピース（１００）にユーティリティ・ケーブル（３０２）を接続するケーブル・インターフェースを含んでいる請求項２９記載のカメラ・ハンドピース（１００）。
【請求項３１】
前記インターフェース手段が、前記カメラ制御ユニット（２０２）へ電力を供給するバッテリ（８０２）を含んでいる請求項２８記載のカメラ・ハンドピース（１００）。
【請求項３２】
前記インターフェース手段が、前記カメラ制御ユニット（２０２）からリモート受信装置へ前記ビデオ出力信号を送信する無線送信システムを含んでいる請求項２８記載のカメラ・ハンドピース（１００）。
【請求項３３】
前記無線送信システムが、送信装置（８０４）及びアンテナ（８０６）を備えている請求項３２記載のカメラ・ハンドピース（１００）。
【請求項３４】
更に光源（８０８）を備えている請求項２８記載のカメラ・ハンドピース（１００）。
【請求項３５】
前記光源（８０８）が、電球（８１０）、反射体（８１２）、及びレンズ（８１４）を備えている請求項３４記載のカメラ・ハンドピース（１００）。
【請求項３６】
更に前記レンズ（８１４）から光を受取って前記ハンドピース（１００）の前記先端部（１０２）へ導くライトガイド（８１６）を備えている請求項３５記載のカメラ・ハンドピース（１００）。
【請求項３７】
前記光源が少なくとも１個の発光ダイオード（９００）を備えている請求項３４記載のカメラ・ハンドピース（１００）。
【請求項３８】
前記カメラ制御ユニット（２０２）と前記センサ・アセンブリ（２１０）とを可撓性をもって接続するコネクタ（２１８）と、
前記インターフェース手段と前記カメラ制御ユニット（２０２）とを可撓性をもって接続するコネクタ（３１２）と、
を備えた請求項２８記載のカメラ・ハンドピース（１００）。
【請求項３９】
前記カメラ制御ユニット（２０２）と前記センサ・アセンブリ（２１０）とを可撓性をもって接続する前記コネクタ（２１８）が、フレキシブル・プリント配線板（２１６）を含んでおり、
前記インターフェース手段と前記カメラ制御ユニット（２０２）とを可撓性をもって接続する前記コネクタ（３１２）が、フレキシブル・プリント配線板（３０８）を含んでいる請求項３８記載のカメラ・ハンドピース（１００）。
【請求項４０】
前記カメラ制御ユニット（２０２）と前記センサ・アセンブリ（２１０）とを接続する前記フレキシブル・プリント配線板（２１６）が、細長い折返し部（２２０）を持つようにして配設されており、それによって、前記歯ないし歯周組織に焦点を合わせるために前記センサ・アセンブリ（２１０）を軸心方向に調節移動できるようにしてある請求項３９記載のカメラ・ハンドピース（１００）。
【請求項４１】
前記カメラ制御ユニット（２０２）と前記センサ・アセンブリ（２１０）とを可撓性をもって接続する前記コネクタ（２１８）が、前記カメラ制御ユニット（２０２）と前記センサ・アセンブリ（２１０）とを互いに固定結合する固定結合構造を備えており、それによって、前記歯ないし歯周組織に前記センサ・アセンブリ（２１０）の焦点を合わせるために前記カメラ制御ユニット（２０２）と前記センサ・アセンブリ（２１０）とを一体的に軸心方向に調節移動可能にしてある請求項３８記載のカメラ・ハンドピース（１００）。
【請求項４２】
前記カメラ制御ユニット（２０２）から送出される前記ビデオ出力信号が、Sビデオ信
号、コンポジット・ビデオ信号、及びデジタル・ビデオ信号のうちの何れかである請求項２８記載のカメラ・ハンドピース（１００）。
【請求項４３】
前記センサ・アセンブリ（２１０）が、電荷結合デバイス、ＣＭＯＳデバイス、及びアクティブ・ピクセル・センサの何れかを備えている請求項２８記載のカメラ・ハンドピース（１００）。
【請求項４４】
前記カメラ制御ユニット（２０２）が、デジタル信号処理装置とアナログ信号処理装置との何れかを備えている請求項２８記載のカメラ・ハンドピース（１００）。
【請求項４５】
前記センサ・アセンブリ（２１０）を軸心方向に調節移動することによって、前記歯ないし歯周組織に焦点を合わせるための複数の所定のフォーカス・モードにすることができるようにしてある請求項２８記載のカメラ・ハンドピース（１００）。
【請求項４６】
前記ハウジング（１００）の前記ハンドル部（１０６）の中に配設されたリング（１１０）の調節操作を行うことによって前記複数の所定のフォーカス・モードの各々が選択されるようにしてあり、前記リング（１１０）は前記センサ・アセンブリ（２１０）を軸心方向に調節移動するためのアセンブリに作用的に連結されており、前記リング（１１０）の調節操作を行うことによって前記アセンブリが前記センサ・アセンブリ（２１０）を軸心方向に調節移動し、それによって所望のフォーカス・モードにすることができるようにしてある請求項４５記載のカメラ・ハンドピース（１００）。
【請求項４７】
前記ハウジング（１００）が、前記ハンドル部（１０６）と前記先端部（１０２）との間に位置する円錐形状部（１０４）を有しており、該円錐形状部（１０４）には、該円錐形状部（１０４）の周方向に間隔を空けて複数の方向指標凹部（１０８）が形成されており、それら複数の方向指標凹部（１０８）のうちの１つに人差し指をあてて前記ハウジングの前記円錐形状部（１０４）を把持することによって前記視野窓が所定の視野方向に向けられるようにしてある請求項２８記載のカメラ・ハンドピース（１００）。
【請求項４８】
前記光学系が、
前記歯ないし歯周組織の前記画像を取込むための視野窓（２０４）と、
前記視野窓（２０４）を通して取込まれた前記歯ないし歯周組織の前記画像を反射するプリズム（２０６）と、
前記プリズム（２０６）から反射されてきた前記歯ないし歯周組織の前記画像を前記センサ・アセンブリ（２１０）へ入射させるレンズ・アセンブリ（２０８）と、
を備えている請求項２８記載のカメラ・ハンドピース（１００）。
【請求項４９】
前記光学系が更に凹レンズを備えている請求項４８記載のカメラ・ハンドピース（１００）。
【請求項５０】
前記プリズム（２０６）が非反転プリズムである請求項４８記載のカメラ・ハンドピース（１００）。
【請求項５１】
前記プリズム（２０６）が反転プリズムであり、
前記カメラ制御ユニット（２０２）が、前記センサ・アセンブリ（２１０）から受取る画像信号が表している画像を裏返す回路を含んでいる請求項４８記載のカメラ・ハンドピース（１００）。
【請求項５２】
前記カメラ制御ユニット（２０２）が、該カメラ制御ユニット（２０２）に対する制御命令を格納するための非揮発性メモリを含んでいる請求項２８記載のカメラ・ハンドピース（１００）。
【請求項５３】
前記ハウジング（１００）の前記ハンドル部（１０６）の中に配設されたリング（１１０）の調節操作を行うことによって複数の所定のフォーカス・モードが選択されるようにしてあり、前記リング（１１０）は前記光学系の光学素子のうちの少なくとも１個を前記センサ・アセンブリ（２１０）に対して相対的に軸心方向に調節移動するためのアセンブリに作用的に連結されており、前記リング（１１０）の調節操作を行うことによって前記アセンブリ（２１０）が前記光学系の光学素子のうちの前記少なくとも１個を軸心方向に調節移動し、それによって所望のフォーカス・モードにすることができるようにしてある請求項２８記載の歯科用カメラ・ハンドピース（１００）。
【請求項５４】
歯科用イメージング・システムにおいて、
ハンドル部（１０６）と先端部（１０２）とを有するハンドピース（１００）と、
前記ハンドピース（１００）の前記先端部（１０２）の中に配設された光学系と、
前記ハンドピース（１００）の前記先端部（１０２）の中に配設されたセンサ・アセンブリ（２１０）と、
前記ハンドピース（１００）の前記ハンドル部（１６）の中に配設されたカメラ制御ユニット（２０２）と、
前記カメラ制御ユニット（２０２）と無線通信するドッキング・ステーション（６００）とを備え、
前記ハンドピース（１００）の前記先端部（１０２）は口腔内側及び口腔外側の歯ないし歯周組織を視野におさめるための視野窓（２０４）を有しており、
前記光学系は、前記視野窓（２０４）の視野内の前記歯ないし歯周組織の画像の取込みと、方向付けと、転送とを行うように構成されており、
前記センサ・アセンブリ（２１０）は、前記光学系を介して入射してきた画像をビデオ・データ信号に変換するように構成されており、
前記カメラ制御ユニット（２０２）は、前記センサ・アセンブリ（２１０）から前記ビデオ・データ信号を受取り、受取ったビデオ・データ信号から、前記画像のビデオ出力信号を生成するように構成されており、
前記ドッキング・ステーション（６００）は、前記カメラ制御ユニット（２０２）へ制御信号を供給すると共に、前記カメラ制御ユニット（２０２）からディスプレイないし更なる処理のためにビデオ出力信号を受取るように構成されている、
歯科用イメージング・システム。
【請求項５５】
前記ハンドピース（１００）に接続されたユーティリティ・ユニットを更に備えており、前記ユーティリティ・ユニットが、前記カメラ制御ユニット（２０２）に動力を供給するための動力源（８０２）と、前記ビデオ出力信号を前記カメラ制御ユニットから前記ドッキングステーション（６００）に伝達しかつ制御信号を前記カメラ制御ユニットの前記ドッキングステーション（６００）から受ける送信装置及びアンテナと、光を前記ハンドピースに提供する光源（８０８、９００）とを備える請求項５４記載の歯科用イメージング・システム。
【請求項５６】
前記カメラ制御ユニット回路（２０２）と前記センサ・アセンブリ（２１０）とを可撓性をもって接続するフレキシブル・プリント配線板（２１６）と、
前記カメラ・ケーブル（３０４）と前記カメラ制御ユニット回路（２０２）とを可撓性をもって接続するフレキシブル・プリント配線板（３０８）と、
を更に備えた請求項５５記載の歯科用イメージング・システム。
【請求項５７】
前記センサ・アセンブリ（２１０）が電荷結合デバイスである請求項５４記載の歯科用イメージング・システム。
【請求項５８】
前記センサ・アセンブリ（２１０）を軸心方向に調節移動することによって、前記歯ないし歯周組織に焦点を合わせるための複数の所定のフォーカス・モードにすることができるようにしてあり、前記ハンドピース（１００）の前記ハンドル部（１０６）の中に配設されたリング（１１０）の調節操作を行うことによって前記複数の所定のフォーカス・モードの各々が選択されるようにしてある請求項５４記載の歯科用イメージング・システム。
【請求項５９】
前記ハンドピース（１００）が、前記ハンドル部（１０６）と前記先端部（１０２）との間に位置する円錐形状部（１０４）を有しており、該円錐形状部（１０４）には、該円錐形状部（１０４）の周方向に間隔を空けて複数の方向指標凹部（１０８）が形成されており、それら複数の方向指標凹部（１０８）のうちの１つに人差し指をあてて前記ハンドピース（１００）の前記円錐形状部（１０４）を把持することによって前記視野窓（２０４）が所定の視野方向に向けられるようにしてある請求項５４記載の歯科用イメージング・システム。
【請求項６０】
前記カメラ制御ユニット（２０２）が、デジタル信号処理装置と、Sビデオ信号の型式
のビデオ出力信号を生成する手段とを備えている請求項５４記載の歯科用イメージング・システム。
【請求項６１】
前記光学系が、
前記歯ないし歯周組織の前記画像を取込むための視野窓（２０４）と、
前記取込まれた画像の狭角画像を通過させる凹レンズと、
前記凹レンズを通過した前記歯ないし歯周組織の前記狭角画像を反射する非反転プリズム（２０６）と、
前記プリズム（２０６）から反射されてきた前記歯ないし歯周組織の前記狭角画像を前記センサ・アセンブリ（２１０）へ入射させるレンズ・アセンブリ（２０８）と、
を備えている請求項５４記載の歯科用イメージング・システム。
【請求項６２】
歯科用イメージング・システムのためのカメラ・ハンドピース（１００）において、
ハンドル部（１０６）と先端部（１０２）とを有するハウジングと、
前記ハウジングの前記先端部（１０２）の中に配設された光学系と、
前記ハウジングの前記先端部（１０２）の中に配設されたセンサ・アセンブリ（２１０）と、
前記ハウジングの前記ハンドル部（１６）の中に配設されたカメラ制御ユニット（２０２）と、
前記カメラ・ハンドピース（１００）にユーティリティ・ケーブル（３０２）を取り外し可能に接続するケーブル・インターフェースとを備え、
前記ハウジングの前記先端部（１０２）は、口腔内側及び口腔外側の歯ないし歯周組織を視野におさめるための視野窓（２０４）を有しており、
前記光学系は、前記視野窓（２０４）の視野内の前記歯ないし歯周組織の画像の取込み及び転送を行うように構成されており、
前記センサ・アセンブリ（２１０）は、前記光学系を介して入射してきた画像をビデオ・データ信号に変換するように構成されており、
前記カメラ制御ユニット（２０２）は、前記センサ・アセンブリ（２１０）から前記ビデオ・データ信号を受取り、受取ったビデオ・データ信号から、前記画像のビデオ出力信号を生成するように構成されている、カメラ・ハンドピース（１００）。
【請求項６３】
前記カメラ制御ユニット回路（２０２）と前記センサ・アセンブリ（２１０）とを可撓性をもって接続するフレキシブル・プリント配線板（２１６）と、
前記ケーブル・インターフェースと前記カメラ制御ユニット回路（２０２）とを可撓性をもって接続するフレキシブル・プリント配線板（３０８）と、
を更に備えた請求項６２記載のカメラ・ハンドピース（１００）。
【請求項６４】
前記センサ・アセンブリ（２１０）が電荷結合デバイスである請求項６２記載のカメラ・ハンドピース（１００）。
【請求項６５】
前記センサ・アセンブリ（２１０）を軸心方向に調節移動することによって、前記歯ないし歯周組織に焦点を合わせるための複数の所定のフォーカス・モードにすることができるようにしてあり、前記ハンドピースの前記ハンドル部の中に配設されたリングの調節操作を行うことによって前記複数の所定のフォーカス・モードの各々が選択されるようにしてある請求項６２記載のカメラ・ハンドピース（１００）。
【請求項６６】
前記ハンドピース（１００）が、前記ハンドル部（１０６）と前記先端部（１０２）との間に位置する円錐形状部（１０４）を有しており、該円錐形状部（１０４）には、該円錐形状部（１０４）の周方向に間隔を空けて複数の方向指標凹部（１０８）が形成されており、それら複数の方向指標凹部（１０８）のうちの１つに人差し指をあてて前記ハンドピース（１００）の前記円錐形状部（１０４）を把持することによって前記視野窓（２０４）が所定の視野方向に向けられるようにしてある請求項６２記載のカメラ・ハンドピース（１００）。
【請求項６７】
前記カメラ制御ユニット（２０２）が、デジタル信号処理装置と、Sビデオ信号の型式
のビデオ出力信号を生成する手段とを備えている請求項６２記載のカメラ・ハンドピース（１００）。
【請求項６８】
前記光学系が、
前記歯ないし歯周組織の前記画像を取込むための視野窓（２０４）と、
前記取込まれた画像の狭角画像を通過させる凹レンズと、
前記凹レンズを通過した前記歯ないし歯周組織の前記狭角画像を反射する非反転プリズム（２０６）と、
前記プリズム（２０６）から反射されてきた前記歯ないし歯周組織の前記狭角画像を前記センサ・アセンブリ（２１０）へ入射させるレンズ・アセンブリ（２０８）と、
を備えている請求項６２記載のカメラ・ハンドピース（１００）。